(57)【要約】【課題】　ホームサーバー家電機器が、ホームネットワークに新規に連結される家電機器に既に連結された家電機器に付与されたＩＤと重複されない固有ＩＤを付与することによって、前記ホームネットワークに連結された全ての家電機器を制御できるホームネットワークシステムの動作方法を提供する。【解決手段】　ホームネットワークＮに新規に連結されるクライアント家電機器１００に固有ＩＤを付与して前記ホームネットワークＮに自動バインディングされるようにすることによって、ホームネットワークＮに連結された製造社の異なる多数のクライアント家電機器１００に付与されたＩＤが重複されることなく、前記ホームサーバー家電機器２００がそれぞれのクライアント家電機器１００を区別及び制御できるようにし、その結果、ホームネットワークシステムの制御信頼性が向上する。【選択図】　　　図３
2004135351.tif 000002
【特許請求の範囲】
【請求項１】
　ホームネットワークに接続され、受信された制御命令に応じて制御される複数のクライアント家電機器と、
　前記クライアント家電機器と前記ホームネットワークとの間に連結されて送受信データの規格を変換する複数のクライアント通信モジュール部と、
　前記クライアント家電機器に制御命令を送信すると同時に、前記クライアント家電機器の製品番号をその家電機器のＩＤとして付与し、重複している製品番号に対しては乱数を発生させてそれをＩＤとして付与するホームサーバー家電機器と、
　前記ホームサーバー家電機器と前記ホームネットワークの送受信データ規格を変換するホームサーバー家電機器通信モジュール部と、を含めて構成されることを特徴とする乱数発生型ホームネットワークシステム。
【請求項２】
　前記ホームサーバー家電機器は、
　前記ホームネットワークに連結された複数のクライアント家電機器のＩＤが格納されるデータベースと、
　前記クライアント家電機器から受信された製品番号と重複するＩＤが前記データベースに格納されるとき乱数を発生させる乱数発生器と、
　前記データベース及び乱数発生器にアクセスしてホームネットワークに新規に連結されたクライアント家電機器にＩＤを付与するマイコンと、を含めて構成されることを特徴とする請求項１に記載の乱数発生型ホームネットワークシステム。
【請求項３】
　前記ホームサーバー家電機器は、
　前記クライアント家電機器に制御命令を入力させる制御命令入力部と、
　前記クライアント家電機器の制御結果がホームネットワークを介して受信されるとき、それを出力する制御結果出力部と、をさらに含めて構成されることを特徴とする請求項２に記載の乱数発生型ホームネットワークシステム。
【請求項４】
　前記ホームサーバー通信モジュール部は、
　前記ホームサーバー家電機器のホームネットワーク上のアドレスに関する情報を格納するメモリ部と、
　前記ホームサーバー家電機器と前記ホームネットワーク間に送受信されるデータを相互規格に合わせて変換するモデムと、
　前記モデムを制御するモデム制御部と、から構成されることを特徴とする請求項１に記載の乱数発生型ホームネットワークシステム。
【請求項５】
　複数の前記クライアント通信モジュール部はそれぞれ、
　前記ホームサーバー家電機器から前記クライアント家電機器に与えられたＩＤに関する情報を格納するメモリ部と、
　前記クライアント家電機器及び前記ホームネットワークの送受信データを相互規格に合わせて変換するモデムと、
　前記モデムを制御するモデム制御部と、から構成されることを特徴とする請求項１に記載の乱数発生型ホームネットワークシステム。
【請求項６】
　ホームネットワークに新規に連結されたクライアント家電機器がホームサーバー家電機器に製品番号に関する情報を転送する第１段階と、
　前記クライアント家電機器の製品番号に基づいたＩＤまたは乱数発生を通じて生成されたＩＤが、前記クライアント家電機器に付与される第２段階と、
　前記クライアント家電機器が前記ＩＤを格納し、該ＩＤを利用して前記ホームサーバーが前記クライアント家電機器に制御命令を転送する第３段階と、を含めてなることを特徴とする乱数発生型ホームネットワークシステムの制御方法。
【請求項７】
　前記第１段階は、
　前記ホームサーバー家電機器が前記クライアント家電機器にアクセス信号を送信する過程と、
　前記アクセス信号を受信したクライアント家電機器が、内蔵された自分の製品番号を前記ホームサーバー家電機器に転送する過程と、からなることを特徴とする請求項６に記載の乱数発生型ホームネットワークシステムの制御方法。
【請求項８】
　前記第２段階は、
　前記ホームサーバー家電機器が、前記転送された製品番号がホームネットワークに連結された既存のクライアント家電機器のＩＤと重複するか否か確認する過程と、
　前記転送された製品番号がホームネットワークに連結された既存のクライアント家電機器のＩＤと重複する場合、乱数を発生してＩＤを生成し前記クライアント家電機器のＩＤとして付与する過程と、
　前記転送された製品番号がホームネットワークに連結された既存のクライアント家電機器のＩＤと重複しない場合、転送された製品番号を前記クライアント家電機器のＩＤとして付与する過程と、からなることを特徴とする請求項６に記載の乱数発生型ホームネットワークシステムの制御方法。
【請求項９】
　前記第２段階は、前記付与されたＩＤが前記クライアント家電機器と連結されるクライアント通信モデム部に格納される過程をさらに含むことを特徴とする請求項８に記載の乱数発生型ホームネットワークシステムの制御方法。
【発明の詳細な説明】
【技術分野】
【０００１】
　本発明は、乱数発生型ホームネットワークシステム及びその制御方法に関し、特に、ホームサーバー家電機器が、ホームネットワークに新規に連結されるクライアント家電機器に、既に連結されたクライアント家電機器に付与されたＩＤと重複しない固有ＩＤを付与することによって、前記ホームネットワークに連結された全ての家電機器を制御できる乱数発生型ホームネットワークシステム及びその制御方法に関する。
【背景技術】
【０００２】
　近来、家庭内で利用される多数の家電機器を一つのネットワーク網を介して連結し、なおかつ前記ホームネットワークが外部インターネット網と連結されるようにして家庭内または遠隔から前記家電機器を制御できるようにするホームネットワークシステムが普及されるに到った。
【０００３】
　次に一般的なホームネットワークシステムの構成を図１を参照して説明する。
【０００４】
　特に、ホームネットワークシステムの管理者は、前記ホームネットワークＮに連結された家電機器への制御命令の入力、および、その制御命令に応じて動作された状態情報の出力が可能な入力装置及び出力装置を備えた家電機器を用いて多数の家電機器を中央制御することができるが、このような家電機器をホームサーバー家電機器ＨＳという。
【０００５】
　前記ホームサーバー家電機器ＨＳは、前記ホームネットワークＮに連結された冷蔵庫、エアコンなどの多数の家電機器に送受信される制御信号を処理する以外に、外部インターネット網と連結されるようにインターネットモジュールを含むハードウェアを備えており、前記ホームサーバー家電機器ＨＳとしては、例えば、冷蔵庫、エアコンのような家電機器が好適に利用される。
【０００６】
　また、前記ホームサーバー家電機器ＨＳから入力された制御命令に応じて動作を行い、その結果を前記ホームサーバー家電機器に送信する他の家電機器をクライアント家電機器Ｃ１〜Ｃ４というが、これらクライアント家電機器Ｃ１〜Ｃ４の内部にはマイコンが内蔵されて前記ホームネットワークＮを介して送受信されるデータを処理する。
【０００７】
　つまり、洗濯機、電子レンジなどのクライアント家電機器Ｃ１〜Ｃ４と、冷蔵庫などのホームサーバー家電機器ＨＳとが、前記ホームネットワークＮを介して連結されて制御信号が送受信され、場合によっては、前記ホームサーバー家電機器ＨＳに、外部インターネット網Ｉと接続されるインターネットモジュール部を追加することによって、前記ホームネットワークＮと外部インターネット網Ｉが連結される際、前記インターネット網Ｉに接続した外部の遠隔制御者が、前記ホームネットワークＮに連結された家電機器を遠隔制御できるようにする。
【０００８】
　また、このようにホームサーバー家電機器ＨＳを介して多数のクライアント家電機器を制御するためには、前記ホームサーバー家電機器ＨＳが前記多数のクライアント家電機器Ｃ１〜Ｃ４を区分するために前記クライアント家電機器に内蔵されたマイコンの製造番号を基本ＩＤとして付与し、その基本ＩＤを呼び出すことで制御信号を送受信しなければならない。
【０００９】
　このため、前記ホームネットワークＮの管理者は、それぞれの家電機器に内蔵されたマイコンの製造番号を確認した後、その製造番号を前記ホームサーバー家電機器ＨＳに手動的に入力し、前記ホームサーバー家電機器ＨＳがそれぞれの製造番号を基本ＩＤとして認識できるようにする必要があった。しかし、このような過程は面倒であり、しかも、前記クライアント家電機器Ｃ１〜Ｃ４に内蔵されるマイコンが、他の家電機器に内蔵されるマイコンの製品番号と重複されないように相異なる製品番号を与えなければならないが、これは、それぞれのマイコンのメーカが異なっているため、殆ど統制不可能であると言える。
【発明の開示】
【発明が解決しようとする課題】
【００１０】
　本発明は、上記の従来技術の問題点に鑑みてなされたものであり、その目的は、ホームネットワークに新規に連結されるクライアント家電機器に内蔵されるマイコンの製造番号が基本ＩＤとして前記ホームサーバー家電機器に自動入力されるようにし、また、前記基本ＩＤが既に連結された他のクライアント家電機器のＩＤと重複する場合、任意に発生した乱数を前記新規に連結されるクライアント家電機器の固有ＩＤとして付与することによって、前記ホームネットワークに連結される多数のクライアント家電機器を安定して制御でき、使用者の手動的なＩＤ入力過程を省略できるホームネットワークシステムの動作方法を提供することにある。
【課題を解決するための手段】
【００１１】
　上記の目的を達成するために、本発明による乱数発生型ホームネットワークシステムは、ホームネットワークに接続され、受信された制御命令に応じて制御される複数のクライアント家電機器と、前記クライアント家電機器と前記ホームネットワークとの間に連結されて送受信データの規格を変換する複数のクライアント通信モジュール部と、前記クライアント家電機器に制御命令を送信すると同時に、前記クライアント家電機器の製品番号をその家電機器のＩＤとして付与し、重複している製品番号に対しては乱数を発生させてそれをＩＤとして付与するホームサーバー家電機器と、前記ホームサーバー家電機器と前記ホームネットワークの送受信データ規格を変換するホームサーバー家電機器通信モジュール部と、を含めて構成される。
【００１２】
　また、本発明に係る乱数発生型ホームネットワークシステムの制御方法は、ホームネットワークに新規に連結されたクライアント家電機器がホームサーバー家電機器に製品番号に関する情報を転送する第１段階と、前記クライアント家電機器の製品番号に基づいたＩＤまたは乱数発生を通じて生成されたＩＤが前記クライアント家電機器に付与される第２段階と、前記クライアント家電機器が前記ＩＤを格納し、該ＩＤを利用して前記ホームサーバーが前記クライアント家電機器に制御命令を転送する第３段階と、からなる。
【発明の効果】
【００１３】
　本発明のホームネットワークシステムの動作方法は、ホームネットワークに新規に連結されるクライアント家電機器に内蔵されるマイコンの製造番号が基本ＩＤとして前記ホームサーバー家電機器に自動入力されるようにし、前記基本ＩＤが既に連結された他のクライアント家電機器のＩＤと重複していると任意に生成した乱数を固有ＩＤとして付与するため、前記ホームネットワークに連結される多数のクライアント家電機器制御における安全性及び信頼性が確保でき、また、使用者が手動的にＩＤを入力しなくて済むので、使い勝手が向上する。
【発明を実施するための最良の形態】
【００１４】
　以下、本発明の好ましい実施例を添付図面を参照しつつ詳細に説明する。
【００１５】
　図２に、本発明のホームネットワークシステムの構成図を示す。図２に示すように、ホームネットワークＮに連結されるクライアント家電機器１００は、マイコンが内蔵され、前記マイコンのメーカから付与した製品番号(serial number)を持つ。ここで、前記マイコンは、前記クライアント家電機器１００の全般的な動作を制御すると同時に、ホームネットワークＮを介して制御命令が入力されると、それに応じて前記クライアント家電機器１００を制御し、また、必要に応じて前記制御命令に対する応答データを生成して前記ホームネットワークＮに転送する機能を行う。
【００１６】
　ホームサーバー家電機器(例えば、冷蔵庫)２００は、前記ホームネットワークＮと連結されて前記多数のクライアント家電機器(例えば、前記冷蔵庫を除外した一般の家電機器)１００に制御命令を入力させ、その制御命令に応じて行われた制御結果を外部出力することによって、前記ホームネットワークＮの管理者が確認できるようにする機器であり、多数のクライアント家電機器１００と送受信される信号を処理できるような充分な処理容量とメモリを持ち、また、制御命令が入力される入力装置と前記制御結果が出力される出力装置を持つ。
【００１７】
　つまり、前記ホームサーバー家電機器２００は、図３に示すように、管理者または家電機器の使用者が制御命令を入力しうる制御命令入力部２０１と、前記制御命令をホームネットワークＮを介して受信したクライアント家電機器が転送した応答データが出力され、管理者または使用者がそれを確認できるようにする制御結果出力部２０２とで構成される。
【００１８】
　また、前記ホームサーバー家電機器２００は、前記ホームネットワークＮに連結された多数のクライアント家電機器のＩＤを認識することによってそれぞれのクライアント家電機器を区別するが、このとき、前記ホームネットワークＮに新規に連結されるクライアント家電機器１００の製品番号を受信し、その製品番号が既に連結された他のクライアント家電機器のＩＤと重複するか否か判断し、それが重複していると乱数を生成し、その生成された乱数からなる固有ＩＤを前記新規に連結されるクライアント家電機器１００に付与し、前記クライアント家電機器１００がホームネットワークＮに自動でバインディング(binding)されるようにする。
【００１９】
　つまり、前記ホームサーバー家電機器２００は、図３に示すように、制御命令入力部２０１と制御結果出力部２０２の他にも、ホームサーバー家電機器２００の全般的な動作を制御するマイコン２０３と、前記ホームサーバー家電機器２００とホームネットワークＮを介して連結される複数のクライアント家電機器１００に対するＩＤが格納されるデータベース２０４と、必要に応じてクライアント家電機器１００に付与されるＩＤとなる乱数を生成する乱数発生器２０５と、を含む。
【００２０】
　この時、前記マイコン２０３は、ホームネットワークＮに新規のクライアント家電機器が連結される場合、前記新規のクライアント家電機器１００が転送する製品番号に関する情報と一致するＩＤがデータベース２０４に存在するか確認する。仮に、前記データベース２０４に重複する製品番号が存在しないと、前記マイコン２０３は前記製品番号を前記新規のクライアント家電機器１００のＩＤとして付与し、それに関する情報をデータベース２０４に格納するとともに、付与されたＩＤに関する情報を前記新規のクライアント家電機器１００に転送する。
【００２１】
　一方、前記データベース２０４に重複する製品番号が存在すると、前記マイコン２０３は前記乱数発生器２０５にアクセスして前記新規のクライアント家電機器１００に付与するＩＤを生成し、これを前記新規のクライアント家電機器１００のＩＤとして付与すると同時に、データベース２０４に格納する。その後、前記マイコン２０３は前記ＩＤに関する情報を前記新規のクライアント家電機器１００に転送する。
【００２２】
　前記クライアント家電機器１００は、前記ホームネットワークＮを介して送受信される信号を制御するために、前記クライアント家電機器とシリアル連結される通信モジュール部１５０をさらに含む。該通信モジュール部１５０は、前記クライアント家電機器１００と前記ホームサーバー家電機器２００との間に送受信される信号の通信規格を相互変換するホームネットワークモデム１５１と、前記ホームサーバー家電機器２００が前記クライアント家電機器１００に付与した固有ＩＤを格納するメモリ部１５２と、前記ホームサーバー家電機器２００が前記クライアント家電機器１００に付与した固有ＩＤに基づいて送信した制御信号が前記クライアント家電機器１００に転送されるように前記ホームネットワークモデム１５１を制御するモデム制御部１５３と、を含めてなる。
【００２３】
　また前記メモリ部１５２は、電源のオン/オフに関係なく前記固有ＩＤを格納し、リセット命令に従って前記格納された固有ＩＤの削除が可能なＥＥＰＲＯＭ(Electrically Erasable Programmable Read-Only Memory)からなるのが好ましく、一度認識されたクライアント家電機器の固有ＩＤは管理者が人為的にリセットスイッチを押すまでは常時格納される。
【００２４】
　同様に、前記ホームサーバー家電機器２００もまた、ホームサーバー通信モジュール部２５０を介して、前記ホームネットワークＮとデータを送受信する。該ホームサーバー通信モジュール部２５０もまた、前記ホームサーバー２００と前記ホームネットワークＮが送受信するデータの規格を変換するホームネットワークモデム２５１と、前記ホームサーバー家電機器２００のマイコン２０３に付与された製品番号をホームネットワークＮにおける前記ホームサーバー家電機器２００のＩＤとして格納するメモリ部２５２と、前記ホームネットワークモデム２５１のデータ送受信を制御するモデム制御部２５３とから構成される。
【００２５】
　したがって、前記クライアント家電機器１００と連結されたクライアント通信モジュール部１５０は、前記ホームネットワークＮを介してホームサーバー家電機器２００がＩＤを転送する場合、前記ＩＤを前記クライアント家電機器１００のＩＤとして認識し、それに関する情報を前記メモリ部１５２に格納する。
【００２６】
　要するに、前記ホームサーバー家電機器２００から入力される制御命令がホームネットワークＮを介して制御するクライアント家電機器１００にシリアル連結されたクライアント通信モジュール部１５０に伝達され、該クライアント通信モジュール部１５０は、前記伝達された制御命令信号の通信規格を前記クライアント家電機器１００が認識できる規格に変換し制御動作の遂行を可能にし、前記クライアント家電機器から制御結果信号を受信してこれを前記ホームサーバー家電機器２００に転送する。これにより、クライアント家電機器１００の制御結果が前記ホームサーバー家電機器２００から外部出力される。
【００２７】
　次に、以上のように構成された本発明のホームネットワークシステムの動作を、図４を参照して具体的に説明する。
【００２８】
　第１段階で、ホームサーバー家電機器がホームネットワークに新規に連結されたクライアント家電機器の制御に要求されるアクセス信号を前記クライアント家電機器に転送する(Ｓ１)。
【００２９】
　第２段階で、前記アクセス信号を受信したクライアント家電機器が、内蔵されるマイコンの製品番号、つまり基本ＩＤを前記ホームサーバー家電機器に送信する(Ｓ２)。前記ホームサーバー家電機器が前記基本ＩＤを受信し、その基本ＩＤがホームネットワークに既に連結された家電機器のＩＤと重複しているか否かを判断する(Ｓ３)。
【００３０】
　判断結果、前記基本ＩＤが前記既に連結された家電機器のＩＤと重複していないと前記基本ＩＤを前記クライアント家電機器の固有ＩＤとして入力し(Ｓ７)、重複していると前記ホームサーバー家電機器が新規の乱数を生成し(Ｓ４)、その乱数から構成される固有ＩＤを前記クライアント家電機器に送信する(Ｓ５)。
【００３１】
　第３段階で、前記クライアント家電機器は前記固有ＩＤを受信し(Ｓ６)、前記ホームサーバー家電機器に前記固有ＩＤが正常的に受信されたことを知らせる信号(ＡＣＫ)を送信すると、前記ホームサーバー家電機器は前記固有ＩＤを入力する(Ｓ７)。また、前記クライアント家電機器は前記固有ＩＤをメモリ部に入力させることによって前記ホームサーバーにより付与された固有ＩＤを自ら認識する(Ｓ８)。
【００３２】
　第４段階で、前記ホームサーバー家電機器が前記クライアント家電機器に新規に付与された固有ＩＤを呼び出し、前記クライアント家電機器を制御する命令を送信すると(Ｓ９)、前記クライアント家電機器は前記制御命令に応じて動作を行う(Ｓ１０)。その後、前記制御結果を前記ホームサーバー家電機器に送信することで、管理者は前記ホームサーバー家電機器から制御結果を確認することができる。
【図面の簡単な説明】
【００３３】
【図１】一般のホームネットワークシステムを示す図である。
【図２】本発明のホームネットワークシステムの構成図である。
【図３】図２のホームサーバー家電機器とホームサーバー通信モジュールの詳細図である。
【図４】本発明のホームネットワークシステムの動作段階を示す図である。
【符号の説明】
【００３４】
Ｎ…ホームネットワーク
ＲＣ…遠隔制御機器
１００…クライアント家電機器
１５０…クライアント通信モジュール部
２００…ホームサーバー家電機器
２５０…ホームサーバー通信モジュール部
【図１】
2004135351.tif 000003
【図２】
2004135351.tif 000004
【図３】
2004135351.tif 000005
【図４】
2004135351.tif 000006